(57)【要約】【課題】操作量の感覚的認識性に優れ、しかも、それを低コストで実現できる表示装置を提供する。【解決手段】回転操作子４を回転操作することで、第２の遮光板６の透光部に対する第１の遮光板５の遮光部の重なり度合が変化し、光源３から回転操作子４外までの透光量が変化することで、回転操作子４の明度が変化する。この回転操作子４の明度の変化は、使用者が凝視せずとも視覚で感覚的に捉えられ、認識される。かくして、操作量の感覚的認識性に優れるようにでき、しかも、それをＩＣや液晶パネなど高価な部品を要せず、低コストで実現できる。【選択図】図１
2008275985.tif 000002
【特許請求の範囲】
【請求項１】
光源と、
この光源の投光先の位置に設けられた、透光性を有する回転操作子と、
この回転操作子と前記光源との間に設けられ、回転操作子と共に回転する第１の遮光板と、
この第１の遮光板と前記光源の投光方向に重ねて設けられた第２の遮光板とを具備し、
それら第１及び第２の遮光板が、回転方向に延びるスリット状の遮光部と、同スリット状の透光部とを、回転角度別に中心部からの位置を互い違いに異ならせて有し、
前記回転操作子の回転に伴う前記第１の遮光板の回転により、前記第２の遮光板の透光部に対し、該第１の遮光板の遮光部の重なり度合が変化することで、前記光源に対する透光量を制御して表示することを特徴とする表示装置。
【発明の詳細な説明】
【技術分野】
【０００１】
本発明は、操作量の表示をする表示装置に関する。
【背景技術】
【０００２】
従来より、操作量の表示をする表示装置としては、一般に、テレビ受像機における音量の操作表示や、携帯電話機におけるカメラ機能の光量の操作表示等について、数字表示やバーグラフィック表示をするものが供されている（例えば特許文献１、２参照）。
【特許文献１】実開昭６３−１５２３７３号公報
【特許文献２】特開２００４−１３５１７７号公報
【発明の開示】
【発明が解決しようとする課題】
【０００３】
上記従来のものの場合、表示された数字やバーグラフィックを凝視しなければ操作量を認識することが困難で、操作量の感覚的認識性に劣るものであり、それでいてしかも、その数字表示やバーグラフィック表示をするのにＩＣや液晶パネル等を要するため、コストが高くなるという問題点を有していた。
【０００４】
本発明は上述の事情に鑑みてなされたものであり、従ってその目的は、操作量の感覚的認識性に優れ、しかも、それを低コストで実現できる表示装置を提供するにある。
【課題を解決するための手段】
【０００５】
上記目的を達成するために、本発明の表示装置は、光源と、この光源の投光先の位置に設けられた、透光性を有する回転操作子と、この回転操作子と前記光源との間に設けられ、回転操作子と共に回転する第１の遮光板と、この第１の遮光板と前記光源の投光方向に重ねて設けられた第２の遮光板とを具備し、それら第１及び第２の遮光板が、回転方向に延びるスリット状の遮光部と、同スリット状の透光部とを、回転角度別に中心部からの位置を互い違いに異ならせて有し、前記回転操作子の回転に伴う前記第１の遮光板の回転により、前記第２の遮光板の透光部に対し、該第１の遮光板の遮光部の重なり度合が変化することで、前記光源に対する透光量を制御して表示することを特徴とする。
【発明の効果】
【０００６】
上記手段によれば、回転操作子を回転操作することで、第２の遮光板の透光部に対する該第１の遮光板の遮光部の重なり度合が変化し、光源から回転操作子外までの透光量が変化することで、回転操作子の明度が変化する。この回転操作子の明度の変化は、使用者が凝視せずとも視覚で感覚的に捉えられ、認識される。かくして、操作量の感覚的認識性に優れるようにでき、しかも、それをＩＣや液晶パネルなど高価な部品を要せず、低コストで実現できる。
【発明を実施するための最良の形態】
【０００７】
以下、本発明の一実施例（一実施形態）につき、図面を参照して説明する。
まず、図１には、全体的構成を示しており、インシュレータなど基盤１の前面（図では上面）に、回転検出器２と、光源３とを配設している。回転検出器２は、例えばロータリースイッチであり、シャフト２ａが回転操作されることにより、内蔵した接点（図示せず）の切り換えを行うようになっている。なお、この回転検出器２はロータリーエンコーダであっても良い。光源３は、例えば発光ダイオードであり、回転検出器２の周囲に複数個（例えば６個）配置している。
【０００８】
上記光源３の投光先は前方（図では上方）であり、その位置には回転操作子４を配置している。この回転操作子４は、ほゞ円盤形のレンズ４ａにそれよりやゝ薄肉の円盤形の透光カバー４ｂを重ね、それら周囲を遮光リング４ｃで囲繞して成るもので、レンズ４ａ及び透光カバー４ｂにて透光性を有している。又、この回転操作子４は、レンズ４ａの光源３側の中心部にて上記回転検出器２のシャフト２ａに連結し、該シャフト２ａを回転操作するようにしている。
【０００９】
上記回転操作子４と光源３との間には、第１の遮光板５と第２の遮光板６とを光源３の投光方向である前後（図では上下）方向に重ねて配置している。これらの遮光板５，６は、図２に示すように円盤形で、回転方向に延びるスリット状の遮光材又は遮光塗膜等から成る遮光部５ａ，６ａと、同スリット状の透光材又は開口等から成る透光部５ｂ，６ｂとを、この場合、９０度角の回転角度別に、中心部からの位置を互い違いに異ならせて有している。
【００１０】
又、第１の遮光板５は、前記回転検出器２のシャフト２ａに取付けて該シャフト２ａと共に回転、ひいては前記回転操作子４と共に回転するようにしており、それに対して、第２の遮光板６は回転不能に固定をしている。その固定をした部材は、この場合、遮光部材にて形成したボディ７であり、このボディ７は、筒部７ａと、これの前端部から周囲への広がりを有するパネル部７ｂとを有し、その筒部７ａにて、前記基盤１の前面から回転操作子４の下面までを囲繞して第２の遮光板６の固定をし、パネル部７ｂにて、回転操作子４の周辺一帯を覆っている。
【００１１】
なお、ボディ７のパネル部７ｂの表面には、回転操作子４の操作（例えば車両の空調装置における風量制御又は温度制御や、オーディオ装置における音量制御）に関する標示を施している（図示せず）。又、回転操作子４の透光カバー４ｂには、図１に示すように、回転検出器２のシャフト２ａと対応した中心部の裏側に球面状の凹部８を形成していて、これにより回転検出器２のシャフト２ａが透視されにくくしている。
【００１２】
次に、上記構成のものの作用及び効果を述べる。
回転操作子４を回転操作すれば、回転検出器２のシャフト２ａが回転されることにより、回転検出器２内では例えば前述のように内蔵した接点が切り換えられてその回転量（操作量）が検出されると共に、回転検出器２外では第１の遮光板５が回転される。この第１の遮光板５の回転により、第２の遮光板６の透光部６ｂに対する該第１の遮光板５の遮光部５ａの重なり度合が変化し、光源３から回転操作子４外までの、第２の遮光板６の透光部６ｂ、第１の遮光板５の透光部５ｂ、回転操作子４のレンズ４ａ、透光カバー４ｂを通じる透光量が変化することで、回転操作子４の明度が変化する。
【００１３】
図３は、そのうちの、第１の遮光板５の遮光部５ａが第２の遮光板６の透光部６ｂの全部に重なった状態（回転操作子４を操作する前の状態）を示しており、光源３から回転操作子４外までの透光量は無いに等しく、回転操作子４の明度は最も低い（暗い）。
これに対して、図４は、第１の遮光板５の遮光部５ａが第２の遮光板６の透光部６ｂの半部に重なった状態（回転操作子４を４５度角回転操作した状態）を示しており、光源３から回転操作子４外までの透光量は、模様の出現を伴って、上述よりも増し、回転操作子４の明度も増している。
【００１４】
そして、図５は、第１の遮光板５の遮光部５ａが第２の遮光板６の透光部６ｂの全部と重ならない（遮光部６ａの全部と重なった）状態（回転操作子４を９０度角回転操作した状態）を示しており、光源３から回転操作子４外までの透光量は、更に模様の変化を伴って、上述よりも更に増し、回転操作子４の明度も更に増して、最も高く（明るく）なっている。
【００１５】
かくして、例えば車両の空調装置における風量制御又は温度制御の表示や、オーディオ装置における音量制御の表示ができるものであり、その表示をした回転操作子４の上記明度の変化は、使用者が凝視せずとも視覚で感覚的に捉えられ、認識される。よって、操作量の感覚的認識性に優れるようにできる。特に、自動車など車両においては、表示部分を凝視しないで良いことにより、前方への注意を逸らすことを避けることができて、使用上の安全性を高めることができる。しかも、本構成のものの場合、上述の表示がＩＣや液晶パネルなど高価な部品を要せずにできるので、低コストで実現することができる。
【００１６】
なお、第１及び第２の遮光板５，６の遮光部５ａ，６ａと透光部５ｂ，６ｂとを交互に異ならせる回転角度は、前述の９０度角より大きくてもあるいは小さくても良い。
又、回転操作子４の操作回転に応動するものは、回転検出器２に限られず、カムやレバーなど機械的なものであっても良い。
更に、回転操作子と共に回転する第１の遮光板５に対して、第２の遮光板６は固定に限られず、第１の遮光板５と反対の方向に回転するものであっても良く、又は第１の遮光板５と同方向でもそれと異なる回転速度で回転するものであっても良い。
【００１７】
加えて、それら第１の遮光板５と第２の遮光板６は、光源３の投光方向での重なり（図１の上下関係）が逆であっても良い。
そのほか、本発明は上記し且つ図面に示した実施例にのみ限定されるものではなく、特に表示装置の用途やそのほかの点につき、要旨を逸脱しない範囲内で適宜変更して実施し得る。
【図面の簡単な説明】
【００１８】
【図１】本発明の一実施例を示す全体的構成の断面図
【図２】第１の遮光板と第２の遮光板の正面図
【図３】操作状態の正面図その１
【図４】同正面図その２
【図５】同正面図その３
【符号の説明】
【００１９】
図面中、３は光源、４は回転操作子、５は第１の遮光板、５ａは遮光部、５ｂは透光部、６は第２の遮光板、６ａは遮光部、６ｂは透光部を示す。
【図１】
2008275985.tif 000003
【図２】
2008275985.tif 000004
【図３】
2008275985.tif 000005
【図４】
2008275985.tif 000006
【図５】
2008275985.tif 000007